【手続補正書】
【提出日】平成23年11月1日(2011.11.1)
【手続補正１】
【補正対象書類名】特許請求の範囲
【補正対象項目名】全文
【補正方法】変更
【補正の内容】
【特許請求の範囲】
【請求項１】
撮像装置と、前記撮像装置に対向するように設置される投影装置とに接続する映像処理装置であって、
前記投影装置により投影する投影映像と前記撮像装置が撮影した撮影映像とを同時に表示手段に表示させる制御手段と、
前記制御手段が前記表示手段に表示させた前記投影映像上の領域の指定に応じて、前記指定された領域を暗領域に設定する暗領域設定手段とを備えたことを特徴とする映像処理装置。
【請求項２】
撮像装置と、前記撮像装置に対向するように設置される投影装置とに接続する映像処理装置であって、
暗領域を設定すべき映像と前記撮像装置が撮影した撮影映像を同時に配置した投影映像を前記投影装置に投影させる制御手段と、
前記制御手段が前記投影装置に投影させた前記暗領域を設定すべき映像上の領域の指定に応じて、前記指定された領域を暗領域に設定する暗領域設定手段とを備えたことを特徴とする映像処理装置。
【請求項３】
前記暗領域設定手段は、前記暗領域の位置、形状、大きさ、色、柄、濃度のうち少なくともいずれか一つを任意に設定できるようにしたことを特徴とする請求項１又は請求項２に記載の映像処理装置。
【請求項４】
前記制御手段は、表示手段に表示させた前記投影映像上に前記暗領域を枠のみ又は半透明の領域として表示させることを特徴とする請求項１に記載の映像処理装置。
【請求項５】
投影装置と、前記投影装置とスクリーンの間に前記投影装置に対向するように設置される撮像装置に接続する映像処理装置であって、
前記投影装置により前記スクリーンに投影する投影映像上の第１の領域に暗領域を配置した場合に前記撮像装置が撮影した第１の撮影映像から得た特徴量と、前記投影映像上の領域であって前記第１の領域と位置又は大きさが異なる第２の領域に前記暗領域を配置した場合に前記撮像装置が撮影した第２の撮影映像から得た特徴量とを比較する比較手段と、
前記比較手段の比較結果に基づいて、前記投影装置から前記スクリーンを見たときに前記撮像装置と重なる領域に前記暗領域を設定する暗領域設定手段とを備えたことを特徴とする映像処理装置。
【請求項６】
前記暗領域設定手段により暗領域が設定された前記投影映像上の領域に前記暗領域を合成する合成処理を前記投影装置に行わせる投影制御手段を備えたことを特徴とする請求項１、請求項２又は請求項５に記載の映像処理装置。
【請求項７】
投影装置と、前記投影装置と対向するように設置される撮像装置と、前記投影装置に接続する映像処理装置とを備えた映像処理システムであって、
前記投影装置により投影する投影映像と前記撮像装置が撮影した撮影映像とを同時に表示手段に表示させる制御手段と、
前記制御手段が前記表示手段に表示させた前記投影映像上の領域の指定に応じて、前記指定された領域を暗領域に設定する暗領域設定手段を備えたことを特徴とする映像処理システム。
【請求項８】
投影装置と、前記投影装置と対向するように設置される撮像装置と、前記投影装置に接続する映像処理装置とを備えた映像処理システムであって、
暗領域を設定すべき映像と前記撮像装置が撮影した撮影映像を同時に配置した投影映像を前記投影装置に投影させる制御手段と、
前記制御手段が前記投影装置に投影させた前記暗領域を設定すべき映像上の領域の指定に応じて、前記指定された領域を暗領域に設定する暗領域設定手段とを備えたことを特徴とする映像処理システム。
【請求項９】
投影装置と、前記投影装置とスクリーンの間に前記投影装置に対向するように設置される撮像装置と、前記投影装置に接続する映像処理装置とを備えた映像処理システムであって、
前記投影装置により前記スクリーンに投影する投影映像上の第１の領域に暗領域を配置した場合に前記撮像装置が撮影した第１の撮影映像から得た特徴量と、前記投影映像上の領域であって前記第１の領域と位置又は大きさが異なる第２の領域に前記暗領域を配置した場合に前記撮像装置が撮影した第２の撮影映像から得た特徴量とを比較する比較手段と、
前記比較手段の比較結果に基づいて、前記投影装置から前記スクリーンを見たときに前記撮像装置と重なる領域に前記暗領域を設定する暗領域設定手段とを備えたことを特徴とする映像処理システム。
【請求項１０】
撮像装置と、前記撮像装置に対向するように設置される投影装置に接続するコンピュータに、
前記投影装置により投影する投影映像と前記撮像装置が撮影した撮影映像とを同時に表示手段に表示させる制御手順と、
前記制御手順で前記表示手段に表示させた前記投影映像上の領域の指定に応じて、前記指定された領域を暗領域に設定する暗領域設定手順とを実行させるためのプログラム。
【請求項１１】
撮像装置と、前記撮像装置に対向するように設置される投影装置とに接続するコンピュータに、
暗領域を設定すべき映像と前記撮像装置が撮影した撮影映像を同時に配置した投影映像を前記投影装置に投影させる制御手順と、
前記制御手順で前記投影装置に投影させた前記暗領域を設定すべき映像上の領域の指定に応じて、前記指定された領域を暗領域に設定する暗領域設定手順とを実行させるためのプログラム。
【請求項１２】
撮像装置と、前記投影装置とスクリーンの間に前記撮像装置に対向するように設置される投影装置に接続するコンピュータに、
前記投影装置により前記スクリーンに投影する投影映像上の第１の領域に暗領域を配置した場合に前記撮像装置が撮影した第１の撮影映像から得た特徴量と、前記投影映像上の領域であって前記第１の領域と位置又は大きさが異なる第２の領域に前記暗領域を配置した場合に前記撮像装置が撮影した第２の撮影映像から得た特徴量とを比較する比較手順と、
前記比較手順における比較結果に基づいて前記投影装置から前記スクリーンを見たときに前記撮像装置と重なる領域に前記暗領域を設定する暗領域設定手順を実行させるためのプログラム。
【手続補正２】
【補正対象書類名】明細書
【補正対象項目名】０００９
【補正方法】変更
【補正の内容】
【０００９】
本発明の映像処理装置は、例えば、撮像装置と、前記撮像装置に対向するように設置される投影装置とに接続する映像処理装置であって、前記投影装置により投影する投影映像と前記撮像装置が撮影した撮影映像とを同時に表示手段に表示させる制御手段と、前記制御手段が前記表示手段に表示させた前記投影映像上の領域の指定に応じて、前記指定された領域を暗領域に設定する暗領域設定手段とを備えたことを特徴とする。また例えば、本発明の映像処理装置は、撮像装置と、前記撮像装置に対向するように設置される投影装置とに接続する映像処理装置であって、暗領域を設定すべき映像と前記撮像装置が撮影した撮影映像を同時に配置した投影映像を前記投影装置に投影させる制御手段と、前記制御手段が前記投影装置に投影させた前記暗領域を設定すべき映像上の領域の指定に応じて、前記指定された領域を暗領域に設定する暗領域設定手段とを備えたことを特徴とする。また例えば、本発明の映像処理装置は、投影装置と、前記投影装置とスクリーンの間に前記投影装置に対向するように設置される撮像装置に接続する映像処理装置であって、前記投影装置により前記スクリーンに投影する投影映像上の第１の領域に暗領域を配置した場合に前記撮像装置が撮影した第１の撮影映像から得た特徴量と、前記投影映像上の領域であって前記第１の領域と位置又は大きさが異なる第２の領域に前記暗領域を配置した場合に前記撮像装置が撮影した第２の撮影映像から得た特徴量とを比較する比較手段と、前記比較手段の比較結果に基づいて、前記投影装置から前記スクリーンを見たときに前記撮像装置と重なる領域に前記暗領域を設定する暗領域設定手段とを備えたことを特徴とする。
【手続補正３】
【補正対象書類名】明細書
【補正対象項目名】００２３
【補正方法】変更
【補正の内容】
【００２３】
次に、図５及び図６を参照して、暗領域の設定方法について説明する。図５に示すように、ディスプレイ４３に暗領域設定画面６１を表示する。暗領域設定画面６１において、映像６２はプロジェクタ１がスクリーン３に投影する映像であり、例えば対向装置２１から受信した映像が含まれる。また、映像６３はカメラ２の撮影映像である。